(57)【要約】【課題】  空気調和装置の室内ユニットを据付板を介して空調室内の壁面に取り付けた後に、配管接続を行うためのスペースを確保する作業の作業性を向上させる。【解決手段】  室内ユニットの壁面取付構造は、室内ユニット２の下部ユニット５６を掛止する据付板５３の支持部６２ｂと、下部ユニット５６に設けられた第１被支持部７１ｃ及び第２被支持部７１ｄとを備えている。第１被支持部７１ｃは、下部ユニット５６が据付板５３に取り付けられた状態で、支持部６２ｂに支持されている。第２被支持部７１ｄは、下部ユニット５６の下部が反壁面側に傾けられた状態で、支持部６２ｂに支持されている。室内ユニットの壁面取付構造は、第１被支持部７１ｃを支点にして下部ユニット５６の下部を角度θ1まで傾くように回転させた際に、第２被支持部７１ｄが支持部６２ｂに支持された状態に移動させることが可能である。【選択図】      図６
2005077073.tif 000002
【特許請求の範囲】
【請求項１】
空気調和装置の室内ユニットを据付板（５３）を介して空調室内の壁面（Ｗ）に取り付けるための室内ユニットの壁面取付構造であって、
前記据付板に設けられ、前記室内ユニットを掛止するための支持部（６２ｂ）と、
前記室内ユニットに設けられ、前記室内ユニットが前記壁面に取り付けられた状態で、前記支持部によって支持される第１被支持部（７１ｃ）と、
前記室内ユニットに設けられ、前記室内ユニットの下部が反壁面側に傾けられた状態で、前記支持部によって支持される第２被支持部（７１ｄ）とを備え、
前記第２被支持部は、前記室内ユニットの下部が反壁面側に所定角度（θ1）まで傾けられた状態において、前記第１被支持部よりも上側に配置されており、
前記第１被支持部が前記支持部に支持された状態から、前記第１被支持部を支点にして前記室内ユニットを回転させることによって、前記室内ユニットの下部が反壁面側に前記所定角度まで傾けられた際に、前記第２被支持部が前記支持部に支持された状態に移動させることが可能である、
室内ユニットの壁面取付構造。
【請求項２】
前記第１被支持部（７１ｃ）と前記第２被支持部（７１ｄ）とを滑らかに接続するスライド部（７１ｅ）をさらに備えている、請求項１に記載の室内ユニットの壁面取付構造。
【請求項３】
前記第２被支持部（７１ｄ）は、前記第１被支持部（７１ｃ）よりも反壁面側に配置されている、請求項２に記載の室内ユニットの壁面取付構造。
【請求項４】
前記第１被支持部（７１ｃ）を支点にして前記室内ユニットを回転させて、前記室内ユニットが前記所定角度（θ1）まで反壁面側に傾けられた際に、前記室内ユニットの支点を前記スライド部（７１ｅ）を介して前記第１被支持部から前記第２被支持部（７１ｄ）まで移動させるための第１スライド補助機構（７２）をさらに備えている、請求項３に記載の室内ユニットの壁面取付構造。
【請求項５】
前記第２被支持部（７１ｄ）が前記支持部（６２ｂ）に支持された状態から、前記室内ユニットの下部が前記壁面（Ｗ）に対して傾斜しない状態になるまで戻すように前記室内ユニットを回転させる際に、前記室内ユニットの支点を前記スライド部（７１ｅ）を介して前記第２被支持部から前記第１被支持部（７１ｃ）まで移動させるための第２スライド補助機構（７３）をさらに備えている、請求項３又は４に記載の室内ユニットの壁面取付構造。
【請求項６】
前記支持部（６２ｂ）は、前記第１被支持部（７１ｃ）及び前記第２被支持部（７１ｄ）と当接する部分に曲面を有している、請求項１〜５のいずれかに記載の室内ユニットの壁面取付構造。
【請求項７】
前記第１被支持部（７１ｃ）及び前記第２被支持部（７１ｄ）は、前記支持部（６２ｂ）と当接する部分に曲面を有している、請求項１〜６のいずれかに記載の室内ユニットの壁面取付構造。
【発明の詳細な説明】
【技術分野】
【０００１】
本発明は、室内ユニットの壁面取付構造、特に、空気調和装置の室内ユニットを据付板を介して空調室内の壁面に取り付けるための室内ユニットの壁面取付構造に関する。
【背景技術】
【０００２】
壁掛け形の空気調和装置の室内ユニットは、空調室内の壁面に固定された据付板に掛止されることによって取り付けられている。このような室内ユニットの壁面取付構造は、室内ユニットの壁面側上部に設けられた被支持部と、据付板に設けられ被支持部が掛止される支持部とから構成されている。
このような壁面取付構造によって取り付けられた室内ユニットでは、室内ユニットの被支持部が据付板の支持部に掛止された状態で、被支持部を支点にして室内ユニットを回転させることよって、その下部を反壁面側に傾けて、空調室外に設置された室外ユニットと配管接続を行うための作業スペースが確保できるようになっている。
【０００３】
しかし、空調性能を重視した製品において、室内ユニットの高さ方向のサイズを大きくする場合には、室内ユニットを回転させた際に、室内ユニットが天井に当たってしまい、配管接続の作業を行うための作業スペースが十分に確保できない場合が生じてしまうことがある。
また、室内ユニットが据付板に取り付けられた状態で室内ユニットの被支持部を支持する支持部としての引掛け爪と、引掛け爪の下方に配置され室内ユニットの下部が反壁面側に傾けられた状態で室内ユニットの被支持部を支持する仮止爪とを有する据付板を用いて、室内ユニットと壁面との間に配管接続を行うための作業スペースを確保するようにする室内ユニットの壁面取付構造が開示されている（例えば、特許文献１参照。）。
【０００４】
この室内ユニットの壁面取付構造では、仮止爪が引掛け爪の下方に配置されているため、室内ユニットの下部を反壁面側に傾けて配管接続を行うための作業スペースを確保する際に、室内ユニットが天井に当たってしまうことはないが、据付板に取り付けられた状態の室内ユニットの被支持部を引掛け爪から取り外して、仮止爪に掛止し直す手間が必要となり、配管接続を行うためのスペースを確保する作業を容易に行うことができない。
【特許文献１】実開平５−３２９２０号公報
【発明の開示】
【発明が解決しようとする課題】
【０００５】
本発明の課題は、空気調和装置の室内ユニットを据付板を介して空調室内の壁面に取り付けた後に、空調室外に設置された室外ユニットと配管接続を行うためのスペースを確保する作業の作業性を向上させることにある。
【課題を解決するための手段】
【０００６】
請求項１に記載の室内ユニットの壁面取付構造は、空気調和装置の室内ユニットを据付板を介して空調室内の壁面に取り付けるための室内ユニットの壁面取付構造であって、支持部と、第１被支持部と、第２被支持部とを備えている。支持部は、据付板に設けられ、室内ユニットを掛止する。第１被支持部は、室内ユニットに設けられ、室内ユニットが据付板に取り付けられた状態で、支持部によって支持されている。第２被支持部は、室内ユニットに設けられ、室内ユニットの下部が反壁面側に傾けられた状態で、支持部によって支持されている。第２被支持部は、室内ユニットの下部が反壁面側に所定角度まで傾けられた状態において、第１被支持部よりも上側に配置されている。そして、この室内ユニットの壁面取付構造は、第１被支持部が支持部に支持された状態から、第１被支持部を支点にして室内ユニットを回転させることによって、室内ユニットの下部が反壁面側に所定角度まで傾けられた際に、第２被支持部が支持部に支持された状態に移動させることが可能である。
【０００７】
この室内ユニットの壁面取付構造では、室内ユニットを第１被支持部を支点にして反壁面側に所定角度まで傾斜させた際に、第１被支持部よりも上側に配置された第２被支持部に支点を移動させることができるようになっているため、室内ユニットを一時的に据付板から取り外す等の手間を生じさせることなく、室内ユニットと天井との干渉が回避されて、さらに、室内ユニットを傾斜させることが可能となる。これにより、空気調和装置の室内ユニットを据付板を介して空調室内の壁面に取り付けた後に、空調室外に設置された室外ユニットと配管接続を行うためのスペースを確保する作業の作業性を向上させることができる。
【０００８】
請求項２に記載の室内ユニットの壁面取付構造は、請求項１において、第１被支持部と第２被支持部とを滑らかに接続するスライド部をさらに備えている。
この室内ユニットの壁面取付構造では、第１被支持部と第２被支持部とを滑らかに接続するスライド部をさらに備えているため、室内ユニットの回転の支点を第１被支持部と第２被支持部との間で移動させる動作をスムーズに行うことができる。
【０００９】
請求項３に記載の室内ユニットの壁面取付構造は、請求項２において、第２被支持部は、第１被支持部よりも反壁面側に配置されている。
この室内ユニットの壁面取付構造では、第２被支持部が第１被支持部よりも反壁面側に配置されているため、室内ユニットの下部を反壁面側に傾斜させた際に、室内ユニットの自重が第１被支持部を下方に移動させるための力として作用し、室内ユニットの回転の支点を第１被支持部から第２被支持部へ移動させる動作をスムーズに行うことができる。
【００１０】
請求項４に記載の室内ユニットの壁面取付構造は、請求項３において、第１被支持部を支点にして室内ユニットを回転させて、室内ユニットを所定角度まで反壁面側に傾けられた際に、室内ユニットの回転の支点をスライド部を介して第１被支持部から第２被支持部まで移動させるための第１スライド補助機構をさらに備えている。
この室内ユニットの壁面取付構造では、室内ユニットの下部を壁面に対して所定角度まで傾斜させた際に、第１被支持部が支持部に支持された状態を解除し、スライド部を介して第２被支持部が支持部に支持された状態に移動させることができるため、室内ユニットの回転の支点を第１被支持部から第２被支持部まで移動させる動作をさらにスムーズに行うことができる。
【００１１】
請求項５に記載の室内ユニットの壁面取付構造は、請求項３又は４において、第２被支持部が支持部に支持された状態から、室内ユニットの下部が壁面に対して傾斜しない状態になるまで戻すように回転させる際に、室内ユニットの支点をスライド部を介して第２被支持部から第１被支持部までスライドさせるための第２スライド補助機構をさらに備えている。
【００１２】
この室内ユニットの壁面取付構造では、第２被支持部が支持部に支持された状態から、室内ユニットを室内ユニットの下部が壁面に対して傾斜しない状態になるまで戻すように回転させる際に、第２被支持部が支持部に支持された状態を解除し、スライド部を介して第１被支持部が支持部に支持された状態まで移動させることができるため、室内ユニットの下部を反壁面側に傾斜させて作業スペースを確保した状態で配管接続作業等を行った後、室内ユニットの下部が壁面に対して傾斜しない状態になるまで戻す動作をスムーズに行うことができる。
【００１３】
請求項６に記載の室内ユニットの壁面取付構造は、請求項１〜５のいずれかにおいて、支持部は、第１被支持部及び第２被支持部と当接する部分に曲面を有している。
この室内ユニットの壁面取付構造では、支持部の第１被支持部及び第２被支持部と当接する部分が曲面になっているため、室内ユニットを回転させる際の支持部、第１及び第２被支持部の摩耗等を防ぐとともに、スムーズな支点の移動を実現できる。
【００１４】
請求項７に記載の室内ユニットの壁面取付構造は、請求項１〜６のいずれかにおいて、第１被支持部及び第２被支持部は、支持部と当接する部分に曲面を有している。
この室内ユニットの壁面取付構造では、第１被支持部及び第２被支持部の支持部と当接する部分が曲面になっているため、室内ユニットを回転させる際の支持部、第１及び第２被支持部の摩耗等を防ぐとともに、スムーズな支点の移動を実現できる。
【発明の効果】
【００１５】
以上の説明に述べたように、本発明によれば、以下の効果が得られる。
請求項１にかかる発明では、室内ユニットを第１被支持部を支点にして反壁面側に所定角度まで傾斜させた際に、第１被支持部よりも上側に配置された第２被支持部に支点を移動させることができるようになっているため、室内ユニットを一時的に据付板から取り外す等の手間を生じさせることなく、室内ユニットと天井との干渉が回避されて、さらに、室内ユニットを傾斜させることが可能となる。これにより、空気調和装置の室内ユニットを据付板を介して空調室内の壁面に取り付けた後に、空調室外に設置された室外ユニットと配管接続を行うためのスペースを確保する作業の作業性を向上させることができる。
【００１６】
請求項２にかかる発明では、第１被支持部と第２被支持部とを滑らかに接続するスライド部をさらに備えているため、室内ユニットの回転の支点を第１被支持部と第２被支持部との間で移動させる動作をスムーズに行うことができる。
請求項３にかかる発明では、第２被支持部が第１被支持部よりも反壁面側に配置されているため、室内ユニットの下部を反壁面側に傾斜させた際に、室内ユニットの自重が第１被支持部を下方に移動させるための力として作用し、室内ユニットの回転の支点を第１被支持部から第２被支持部へ移動させる動作をスムーズに行うことができる。
【００１７】
請求項４にかかる発明では、室内ユニットの下部を壁面に対して所定角度まで傾斜させた際に、第１被支持部が支持部に支持された状態を解除し、スライド部を介して第２被支持部が支持部に支持された状態に移動させることができるため、室内ユニットの回転の支点を第１被支持部から第２被支持部まで移動させる動作をさらにスムーズに行うことができる。
【００１８】
請求項５にかかる発明では、第２被支持部が支持部に支持された状態から、室内ユニットを室内ユニットの下部が壁面に対して傾斜しない状態になるまで戻すように回転させる際に、第２被支持部が支持部に支持された状態を解除し、スライド部を介して第１被支持部が支持部に支持された状態まで移動させることができるため、室内ユニットの下部を反壁面側に傾斜させて作業スペースを確保した状態で配管接続作業等を行った後、室内ユニットの下部が壁面に対して傾斜しない状態になるまで戻す動作をスムーズに行うことができる。
【００１９】
請求項６にかかる発明では、支持部の第１被支持部及び第２被支持部と当接する部分が曲面になっているため、室内ユニットを回転させる際の支持部、第１及び第２被支持部の摩耗等を防ぐとともに、スムーズな支点の移動を実現できる。
請求項７にかかる発明では、第１被支持部及び第２被支持部の支持部と当接する部分が曲面になっているため、室内ユニットを回転させる際の支持部、第１及び第２被支持部の摩耗等を防ぐとともに、スムーズな支点の移動を実現できる。
【発明を実施するための最良の形態】
【００２０】
以下、本発明の室内ユニットの壁面取付構造の実施形態について、図面に基づいて説明する。
（１）空気調和装置の外観
図１は、本発明にかかる室内ユニットの壁面取付構造の一実施形態が採用された空気調和装置１の外観を示す図である。
【００２１】
この空気調和装置１は、空調室内の壁面に取り付けられる室内ユニット２と、室外に設置される室外ユニット３と、室内ユニット２と室外ユニット３とを接続する冷媒配管４とを備えており、各ユニット２、３内に収納された機器・弁類と冷媒配管４とが接続されて冷媒回路を構成している。
（２）空気調和装置の冷媒回路
図２は、空気調和装置１の概略冷媒回路を示す図である。この冷媒回路は、主として、室内熱交換器２１、アキュムレータ３１、圧縮機３２、四路切換弁３３、室外熱交換器３０及び膨張弁３５から構成されている。
【００２２】
室内ユニット２は、主に、室内熱交換器２１を有しており、室内空気との間で熱交換を行う。また、室内ユニット２には、室内空気を吸入して室内熱交換器２１との間で熱交換を行わせた後に室内に吹き出すための室内ファン２２が設けられている。室内ファン２２は、外周部に複数の翼が設けられた細長い円筒形状の羽根車２２ａと、羽根車２２ａを回転駆動するファンモータ２２ｂとを有しており、その回転軸と交わる方向に空気を吹き出すクロスフローファンである。室内ユニット２の詳細な構成については後述する。
【００２３】
室外ユニット３は、主に、圧縮機３２と、圧縮機３２の吐出側に接続された四路切換弁３３と、圧縮機３２の吸入側に接続されたアキュムレータ３１と、四路切換弁３３に接続された室外熱交換器３０と、室外熱交換器３０に接続された膨張弁３５とを有している。膨張弁３５は、液側閉鎖弁３６を介して液冷媒配管４１に接続されており、この液冷媒配管４１を介して室内熱交換器２１の一端と接続されている。また、四路切換弁３３は、ガス側閉鎖弁３７を介してガス冷媒配管４２に接続されており、このガス冷媒配管４２を介して室内熱交換器２１の他端と接続されている。尚、冷媒配管４１、４２は、図１の冷媒配管４に相当する。また、室外ユニット３には、熱源としての室外空気を室外から吸入して室外熱交換器３０との間で熱交換を行わせた後に室外に吹き出すための室外ファン３８が設けられている。室外ファン３８は、プロペラ形状の翼を有する羽根車３８ａと、羽根車３８ａを回転駆動するファンモータ３８ｂとを有しており、その回転軸方向に空気を吹き出すプロペラファンである。
【００２４】
（３）室内ユニットの構成
＜室内ユニットの全体構成＞
室内ユニット２は、図１に示されるように、正面視において横方向に長いユニットケーシング２３を備えており、前述の室内熱交換器２１や室内ファン２２は、室内ユニット２のユニットケーシング２３内に収容されている。このユニットケーシング２３は、図３に示されるように、壁面Ｗに固定された据付板５３を介して壁面Ｗに取り付けられている。しかも、ユニットケーシング２３は、後述のように、後面側が開口しており、据付板５３によって後面側が閉じられている。すなわち、本実施形態において、据付板５３は、室内ユニット２の後面側の部分も構成していることになる。このため、本実施形態において、据付板５３を除いた室内ユニット２を呼ぶ場合には、別の名称で呼ぶ方が望ましいのであるが、下記において特に区別して記載する場合を除いては、便宜上、室内ユニット２と呼ぶことにする。ここで、図３は、室内ユニット２が壁面Ｗに取り付けられた状態を示す側面図である。尚、下記における「前側」及び「後側」とは、それぞれ、室内ユニット２の「反壁面側」及び「壁面側」を意味するものとする。また、下記における「左」及び「右」とは、それぞれ、室内ユニット２の正面視における「左」及び「右」を意味するものとする。
【００２５】
＜ユニットケーシング＞
ユニットケーシング２３は、図１及び図３に示されるように、主として、ケーシング本体５１と、前面パネル５２とから構成されている。
ケーシング本体５１は、上部ケーシング５４と下部ケーシング５５とが上下に組み合わされて構成されている。上部ケーシング５４は、側面視が略逆Ｖ字形の断面形状を有する室内熱交換器２１（図３において破線で図示）の上部、前部及び側部を覆うように配置されており、ユニットケーシング２３の上側部分を構成している。下部ケーシング５５は、室内熱交換器２１の下側に配置された室内ファン２２（図３において破線で図示）を支持するとともに、室内ファン２２を支持した状態で室内熱交換器２１が固定されており、ユニットケーシング２３の下側部分を構成している。
【００２６】
上部ケーシング５４は、下面側と後面側とが開口しており、下面側が下部ケーシング５５によって閉じられ、後面側が据付板５３によって閉じられている。上部ケーシング５４の前面５４ａには、複数の開口が格子状に設けられている。これらの開口の前方は、前面パネル５２によって覆われており、前面パネル５２の上部に設けられた吸入口５２ａから吸い込まれた空調室内の空気が開口を通ってケーシング本体５１内へと取り込まれるようになっている。また、上部ケーシング５４の天面５４ｂには、複数のスリット状の開口からなる吸入口５４ｃが設けられている。これにより、室内ユニット２の天面５４ｂからも空調室内の空気が吸入されるようになっている。
【００２７】
下部ケーシング５５は、天面側と後面側とが開口しており、天面側が上部ケーシング５４によって閉じられ、後面側の一部が据付板５３によって閉じられている。下部ケーシング５５の前面５５ａには、左右に細長い開口からなる吹出口５５ｂ（図１参照）が設けられている。吹出口５５ｂは、ケーシング本体５１内に形成され、室内熱交換器２１及び室内ファン２２が収納されている空間からなる通風路を介して吸入口５２ａ、５４ｃに接続されている。これにより、吸入口５２ａ、５４ｃから吸入された空調室内の空気は、通風路に導入されて室内熱交換器２１を通過した後、室内ファン２２によって昇圧されて、吹出口５５ｂを通って空調室内へと吹き出すようになっている。そして、下部ケーシング５５は、室内熱交換器２１や室内ファン２２を含む各種機器や配管類とともに下部ユニット５６としてモジュール化されている。
【００２８】
前面パネル５２は、正面視において下部ケーシング５５の上方に位置するように、ケーシング本体５１の前面側に取り付けられており、室内ユニット２の前面上部を構成している。吸入口５２ａは、前面パネル５２の上部に設けられており、左右に細長い開口からなる。
＜室内ユニットの壁面取付構造＞
次に、室内ユニット２を据付板５３を介して壁面Ｗに取り付けるための構造について説明する。この取付構造は、図３及び図４に示されるように、据付板５３に設けられた支持部６２ｂと、室内ユニット２に設けられ支持部６２ｂによって支持される被支持部７１ｂとから構成されている。ここで、図４は、下部ユニット５６及び据付板５３を示す斜視図である。
【００２９】
まず、据付板５３について説明する。据付板５３は、室内ユニット２の後面側の部分を構成しており、主として、主板部６１と、取付部６２と、２つの帯状部６３とを有している。
主板部６１は、正面視において横方向に長い長方形状の金属製の板状部材であり、壁面Ｗに沿うように配置されて固定されている。主板部６１の上側の端部には、前面側斜め上方に向かって延びる側面視が「へ」の字形状の上端側折り曲げ部６１ａが形成されている。この上端側折り曲げ部６１ａは、室内ユニット２が壁面Ｗに取り付けられた状態で、上部ケーシング５４の後面側の上端部近傍に配置されている。主板部６１の下側の端部には、前面側斜め下方に向かって延びる下端側折り曲げ部６１ｂが形成されている。この下端側折り曲げ部６１ｂは、室内ユニット２が壁面Ｗに取り付けられた状態で、下部ケーシング５５の後面側の上端部近傍に配置されている。主板部６１の下部の横方向の両端部には、略長方形状の開口からなる角窓部６１ｃが下端側折り曲げ部６１ｂの一部にかかるように形成されている。また、主板部６１の下部には、主板部６１を横方向にほぼ３等分する位置に、角窓部６１ｃと同様略長方形状の開口からなる２つの角窓部６１ｄが形成されている。さらに、主板部６１には、主板部６１（すなわち、据付板５３）を壁面Ｗにネジ止め固定するための複数のネジ孔６１ｆ、６１ｇ、６１ｈが形成されている。ネジ孔６１ｆは、本実施形態において１４個あり、取付部６２の近傍を除く主板部６１の上部に形成されている。ネジ孔６１ｇは、本実施形態において４個あり、主板部６１の下部に形成されている。ネジ孔６１ｈは、本実施形態において８個あり、取付部６２の近傍に形成されている。
【００３０】
帯状部６３は、上下方向に細長い帯状の金属製の板状部材であり、角窓部６１ｄを貫通するように配置されている。帯状部６３の上端部は、主板部６１の上下方向の中間付近を切り起こすことによって形成された１対のタブ６１ｅに差し込まれて固定されている。帯状部６３の下端部には、前面側斜め下方に向かって延びる側面視が「く」の字形状の下端側折り曲げ部６３ａが形成されている。この下端側折り曲げ部６３ａは、室内ユニット２が壁面Ｗに取り付けられた状態で、下部ケーシング５５の後面側の下端部近傍に配置されている。
【００３１】
取付部６２は、本実施形態において、主板部６１の両側端部に設けられており、主として、板状の第１補強部６２ａと、支持部６２ｂとを有している。次に、取付部６２について、図３〜図５を用いて説明する。ここで、図５は、図４の右側に示される取付部６２付近を拡大して示した図である。
第１補強部６２ａは、主板部６１から前面側に向かって延びるように、かつ、主板部６１の上下方向に延びるように形成されている。本実施形態において、第１補強部６２ａは、主板部６１の各側端部を前面側に向かって折り曲げることによって形成された垂直に延びる板状部分である。
【００３２】
支持部６２ｂは、第１補強部６２ａに形成され室内ユニット２を掛止させるための部分であり、第１補強部６２ａから側方に延びるように、かつ、主板部６１の上下方向に延びるように形成された板状部分である。本実施形態において、支持部６２ｂは、第１補強部６２ａの前面側の端部を側方に折り曲げることによって形成された垂直に延びる板状部分である。そして、支持部６２ｂの上端部には、支持部６２ｂの一部を前面側に折り返すことによって、その上面に曲面を有する折り返し支持部６２ｅが形成されている。この折り返し支持部６２ｅは、被支持部７１ｂが掛止されて室内ユニット２の荷重を直接受ける部分である。
【００３３】
このように、据付板５３では、室内ユニット２の荷重を直接受ける部分である支持部６２ｂが、上下方向に延びるように形成され下向きの荷重に対して強度の高い第１補強部６２ａを介して設けられているため、取付部６２の強度が向上している。しかも、支持部６２ｂが、第１補強部６２ａと同様に、上下方向に延びるように形成されており、下向きの荷重に対して強度が高くなっているため、取付部６２自体の剛性を高めるのに寄与している。
【００３４】
また、上述のネジ孔６１ｈは、取付部６２を構成する第１補強部６２ａの近傍に形成されている。これにより、第１補強部６２ａの近傍における主板部６１の剛性が高くなっている。
また、取付部６２は、支持部６２ｂから後面側に向かって延びるように、かつ、主板部６１の上下方向に延びる板状の第２補強部６２ｃを有している。本実施形態において、第２補強部６２ｃは、支持部６２ｂの側方側の端部を後面側に折り曲げることによって形成された垂直に延びる板状部分であり、第１補強部６２ａと同様に、下向きの荷重に対して強度が高くなっているため、取付部６２自体の剛性を高めるのに寄与している。
【００３５】
さらに、取付部６２は、支持部６２ｂの下側に第１補強部６２ａの前面側の端部から側方に延びる板状のカバー部６２ｄを有している。本実施形態において、カバー部６２ｄは、図３に示されるように、室内ユニット２が壁面Ｗに取り付けられた状態において、室内熱交換器２１の後面側の下部近傍に沿うように配置されている。
次に、被支持部７１ｂについて、図３、図４及び図６を用いて説明する。ここで、図６は、図３の被支持部７１ｂ及び取付部６２付近を拡大して示した側面断面図である。
【００３６】
被支持部７１ｂは、室内熱交換器２１の後面側の両側端部に固定された被支持部形成部材７１に形成されている。被支持部形成部材７１には、略３角形の板状の３角板部７１ａが形成されており、３角板部７１ａの上部ケーシング５４の後面側の上端部の近傍に被支持部７１ｂが形成されている。被支持部７１ｂは、後面側に向かうにつれて下方に傾斜するように延びる爪部であり、その下面が据付板５３の支持部６２ｂ（具体的には、折り返し支持部６２ｅ）の上面に掛止されている。被支持部７１ｂの下面には、第１被支持部７１ｃと第２被支持部７１ｄとが形成されている。
【００３７】
第１被支持部７１ｃは、図３に示されるように、室内ユニット２（具体的には、下部ユニット５６）が据付板５３（すなわち、壁面Ｗ）に取り付けられた状態において、支持部６２ｂ（具体的には、折り返し支持部６２ｅ）によって支持される部分であり、本実施形態において、斜め上方に向かって湾曲するような形状を有している。
第２被支持部７１ｄは、後述のように、室内ユニット２（具体的には、下部ユニット５６）の下部が前面側（反壁面側）に傾けられた状態において、支持部６２ｂによって支持される部分であり、室内ユニット２が前面側に所定角度（以下、角度θ1）まで傾けられた状態（後述、図８及び図９参照）において、第１被支持部７１ｃよりも上側に配置されている。そして、第２被支持部７１ｄは、本実施形態において、第１被支持部７１ｃの前面側に形成されており、斜め上方に向かって湾曲するような形状を有している。そして、この第２被支持部７１ｄは、第１被支持部７１ｃが支持部６２ｂに支持された状態から、第１被支持部７１ｃを支点（以下、支点Ｐ1とする）にして室内ユニット２を回転させることによって、室内ユニット２を前面側に角度θ1まで傾けた際に、室内ユニット２の回転の支点（以下、支点Ｐ2とする）となる部分である。
【００３８】
被支持部７１ｂは、第１被支持部７１ｃと第２被支持部７１ｄとを滑らかに接続するスライド部７１ｅをさらに有しており、このスライド部７１ｅを介して、第１被支持部７１ｃが支持部６２ｂに支持された状態と第２被支持部７１ｄが支持部６２ｂに支持された状態との間の移動が行われるようになっている。本実施形態において、スライド部７１ｅは、第１被支持部７１ｃと第２被支持部７１ｄとの間に形成された斜め上方に向かって延びる傾斜面である。
【００３９】
尚、被支持部７１ｂの支持部６２ｂに当接する部分（具体的には、第１被支持部７１ｃ、第２被支持部７１ｄ及びスライド部７１ｅ）には、被支持部７１ｂの一部を側方に折り返すことによって、曲面が形成されている。
さらに、この室内ユニット２の壁面取付構造は、第１スライド補助機構７２と第２スライド補助機構７３とを有している。
【００４０】
第１スライド補助機構７２は、第１被支持部７１ｃを支点にして室内ユニット２を回転させて室内ユニット２を角度θ1まで前面側に傾けた際に、スライド部７１ｅを介して室内ユニット２の回転の支点を支点Ｐ1（すなわち、第１被支持部７１ｃ）から支点Ｐ2（第２被支持部７１ｄ）まで移動させるための機構である。具体的には、第１スライド補助機構７２は、室内ユニット２が据付板５３に取り付けられた状態（図３及び図６参照）において、支持部６２ｂの壁面側の面に向かって突出するように第１被支持部７１ｃの斜め下側に形成された第１凸部７１ｆと、支持部６２ｂの壁面側の第１当接面６２ｆとから構成されている。第１凸部７１ｆは、第１被支持部７１ｃを支点にして室内ユニット２を回転させて室内ユニット２を角度θ1まで前面側に傾けた際に、第１当接面６２ｆに当接することができるようになっている。
【００４１】
第２スライド補助機構７３は、後述のように、第２被支持部７１ｄが支持部６２ｂに支持された状態から、室内ユニット２を室内ユニット２の下部が壁面Ｗに対して傾斜しない状態（図３及び図６参照）になるまで戻すように回転させる際に、スライド部７１ｅを介して室内ユニット２の支点を支点Ｐ2（すなわち、第２被支持部７１ｄ）から支点Ｐ1（すなわち、第１被支持部７１ｃ）まで移動させるための機構である。具体的には、第２スライド補助機構７３は、第２被支持部７１ｄが支持部６２ｂに支持された状態（後述）において、支持部６２ｂの前面側の面に向かって突出するように第２被支持部７１ｄの下側に形成された第２凸部７１ｇと、支持部６２ｂの壁面側の第２当接面６２ｇとから構成されている。第２凸部７１ｇは、第２被支持部７１ｄが支持部６２ｂに支持された状態（後述）から室内ユニット２を室内ユニット２の下部が壁面Ｗに対して傾斜しない状態（図３及び図６参照）になるまで戻すように回転させる際に、第２当接面６２ｇに当接することができるようになっている。
【００４２】
（４）室内ユニットの壁面への取付手順
次に、室内ユニット２の壁面Ｗへの取付手順について、図３、図４、及び図６〜図１４を用いて説明する。ここで、図７は、下部ユニット５６が壁面Ｗに取り付けられた状態を示す側面図である。図８は、下部ユニット５６が支点Ｐ1を回転の支点として壁面Ｗに対して角度θ1まで前面側に傾けられた状態を示す側面図である。図９は、図８の被支持部７１ｂ及び取付部６２付近を拡大して示した側面断面図である。図１０は、下部ユニット５６の支点が支点Ｐ1から支点Ｐ2に移動した状態及び下部ユニット５６の回転の支点を支点Ｐ2から支点Ｐ1に戻す直前の状態を示す側面図である。図１１は、図１０の被支持部７１ｂ及び取付部６２付近を拡大して示した側面断面図である。図１２は、下部ユニット５６が支点Ｐ2を回転の支点として壁面Ｗに対して角度θ2まで前面側に傾けられた状態を示す側面図である。図１３は、図１２の被支持部７１ｂ及び取付部６２付近を拡大して示した側面断面図である。図１４は、下部ユニット５６が支点Ｐ2を回転の支点として壁面Ｗに対して最大角度θ3まで傾けられた状態を示す側面図である。
【００４３】
最初に、下部ケーシング５５に室内熱交換器２１や室内ファン２２を含む各種機器及び配管類を組み込んで、図４に示すような下部ユニット５６を組み立てる。ここで、室内熱交換器２１の後面側には、被支持部７１ｂを有する被支持部形成部材７１も取り付けておく。ここで、この下部ユニット５６を組み立てる作業は、室内ユニット２の出荷前に行われる。また、下部ユニット５６は、製品の出荷時において、上部ケーシング５４、前面パネル５２及び据付板５３を取り付けた状態で出荷することもある。この場合には、上部ケーシング５４、前面パネル５２及び据付板５３を下部ユニット５６から取り外して、下記のような室内ユニット２の壁面Ｗへの据え付け作業を行う。
【００４４】
次に、据付板５３を、壁面Ｗの所定の位置に固定する。ここで、据付板５３は、複数のネジ孔６１ｆ、６１ｇ、６１ｈの位置においてネジ止めにより固定されている。
次に、下部ユニット５６の被支持部７１ｂを据付板５３の支持部６２ｂに掛止する（図４の矢印Ａ、図６及び図７参照）。具体的には、被支持部７１ｂの第１被支持部７１ｃが支持部６２ｂの折り返し支持部６２ｅに掛止されている。これにより、下部ユニット５６は、その後面側の部分が据付板５３の主板部６１及び帯板部６３に当接するように配置される。
【００４５】
次に、図８及び図９に示されるように、第１被支持部７１ｃが支持部６２ｂに支持された状態から、回転の支点を支点Ｐ1として下部ユニット５６を回転させることによって、下部ユニット５６を前面側に角度θ1まで傾けるようにする。すると、被支持部７１ｂの第１凸部７１ｆが支持部６２ｂの第１当接面６２ｆに当接して、その当接点Ｐ3が一時的に下部ユニット５６の回転の支点となり第１被支持部７１ｃが支持部６２ｂに支持された状態が解除される。すると、図１０及び図１１に示されるように、下部ユニット５６の回転の支点が支点Ｐ1からスライド部７１ｅを介して支点Ｐ2に移動する（図９の矢印Ｂ参照）。このとき、第２被支持部７１ｄが第１被支持部７１ｃよりも前面側に配置されているため、下部ユニット５６を前面側に傾斜させた際に、下部ユニット５６の自重が第１被支持部７１ｃを下方に移動させるための力として作用し、下部ユニット５６の回転の支点が第１被支持部から第２被支持部へ移動する動作がスムーズに行われている。
【００４６】
このように、下部ユニット５６の回転の支点を支点Ｐ1として下部ユニット５６を前面側に角度θ1まで傾けると、室内熱交換器２１の頂部が空調室内の天井面Ｕの近傍に達して、それ以上下部ユニット５６を回転させることができない状態となるが（図８参照）、回転の支点が支点Ｐ1から支点Ｐ1の上側に設けられた支点Ｐ2に移動させることによって、室内熱交換器２１の頂部と天井面Ｕとの間に隙間Ｈができて（図１０参照）、下部ユニット５６をさらに回転させることができるようになる。
【００４７】
次に、図１２及び図１３に示されるように、下部ユニット５６の回転の支点を支点Ｐ2として下部ユニット５６を室内熱交換器２１の頂部が天井面Ｕの近傍に達するまで回転させることによって、下部ユニット５６を前面側に角度θ2まで傾けるようにする。これにより、下部ユニット５６と壁面Ｗ（具体的には、据付板５３）との間に、配管接続のための作業スペースＳが確保される。そして、空調室外に設置された室外ユニット３と配管接続作業を行う。尚、空調室内の高さ方向の制約がない場合には、図１４に示されるように、下部ユニット５６の回転の支点を支点Ｐ2として、下部ユニット５６を被支持部７１ｂの先端部が支持部６２ｂに当接するまで（すなわち、最大角度θ3まで）回転させることができるようになっている。
【００４８】
配管接続作業が完了した後、回転の支点を支点Ｐ2として下部ユニット５６を前面側に角度θ2まで傾けた状態（図１２及び図１３参照）から、図６及び図７に示されるように、第２被支持部７１ｄが支持部６２ｂに支持された状態から第１被支持部７１ｃが支持部６２ｂに支持された状態に戻して下部ユニット５６が壁面Ｗに対して傾斜していない状態にする。具体的には、下部ユニット５６（すなわち、被支持部７１ｂ）を図１２及び図１３の矢印Ｂの方向に回転させることによって、図１０及び図１１に示されるように、第２凸部７１ｇを支持部６２ｂの第２当接面６２ｇに当接させ、さらに、第２凸部７１ｇが支持部６２ｂの第２当接面６２ｇに当接した点Ｐ4を支点にして被支持部７１ｂを図１１の矢印Ｄの方向に引き上げる。すると、第２被支持部７１ｄが支持部６２ｂに支持された状態が解除されて、図６及び図７に示されるように、スライド部７１ｅを介して下部ユニット５６の回転の支点が支点Ｐ2から支点Ｐ1に移動する。このようにして、下部ユニット５６を前面側に傾斜させて作業スペースＳを確保した状態で配管接続作業を行った後、下部ユニット５６を下部ユニット５６が壁面Ｗに対して傾斜しない状態になるまで戻す作業を行うことができる。
【００４９】
最後に、図３に示されるように、上部ケーシング５４及び前面パネル５２を下部ユニット５６に取り付けることによって、室内ユニット２の壁面Ｗへの取り付け作業が完了する。
（５）空気調和装置の動作
次に、空気調和装置１の動作について、図２を用いて説明する。
【００５０】
＜冷房運転＞
まず、冷房運転について説明する。冷房運転時は、四路切換弁３３が図２の実線で示される状態、すなわち、圧縮機３２の吐出側が室外熱交換器３０のガス側に接続され、かつ、圧縮機３２の吸入側が室内熱交換器２１のガス側に接続された状態となっている。また、液側閉鎖弁３６及びガス側閉鎖弁３７は開にされ、膨張弁３５は冷媒を減圧するように開度調節されている。
【００５１】
この冷媒回路の状態で、室外ファン３８、室内ファン２２及び圧縮機３２を起動すると、冷媒は、圧縮機３２に吸入されて圧縮された後、四路切換弁３３を経由して室外熱交換器３０に送られて、外気と熱交換して凝縮される。この凝縮した冷媒は、膨張弁３５において減圧された後、液側閉鎖弁３６及び液冷媒配管４１を経由して室内ユニット２に送られる。そして、室内ユニット２に送られた冷媒は、室内熱交換器２１で室内空気と熱交換して蒸発される。この蒸発した冷媒は、ガス冷媒配管４２を経由して、室外ユニット３に戻される。そして、室外ユニット３に戻された冷媒は、ガス側閉鎖弁３７、四路切換弁３３及びアキュムレータ３１を経由して、再び、圧縮機３２に吸入される。
【００５２】
＜暖房運転＞
次に、暖房運転について説明する。暖房運転時は、四路切換弁３３が図２の破線で示される状態、すなわち、圧縮機３２の吐出側が室内熱交換器２１のガス側に接続され、かつ、圧縮機３２の吸入側が室外熱交換器３０のガス側に接続された状態となっている。また、液側閉鎖弁３６及びガス側閉鎖弁３７は開にされ、膨張弁３５は冷媒を減圧するように開度調節されている。
【００５３】
この冷媒回路の状態で、室外ファン３８、室内ファン２２及び圧縮機３２を起動すると、冷媒は、圧縮機３２に吸入されて圧縮された後、四路切換弁３３、ガス側閉鎖弁３７及びガス冷媒配管４２を経由して室内ユニット２に送られる。そして、室内ユニット２に送られた冷媒は、室内熱交換器２１で室内空気と熱交換して凝縮される。この凝縮した冷媒は、液冷媒配管４１を経由して室外ユニット３に戻される。そして、室外ユニット３に戻された冷媒は、液側閉鎖弁３６を経由して、膨張弁３５に送られて減圧された後、室外熱交換器３０に送られて、室外空気と熱交換して蒸発される。この蒸発された冷媒は、四路切換弁３３及びアキュムレータ３１を経由して、再び、圧縮機３２に吸入される。
【００５４】
（６）室内ユニットの壁面取付構造の特徴
本実施形態の室内ユニットの壁面取付構造には、以下のような特徴がある。
（Ａ）
本実施形態の室内ユニット２の壁面取付構造では、室内ユニット２（具体的には、下部ユニット５６）を第１被支持部７１ｃを支点（支点Ｐ1）にして壁面Ｗに対して角度θ1まで傾斜させた際に、第１被支持部７１ｃよりも上側に配置された第２被支持部７１ｄに支点（支点Ｐ2）が移動できるようになっているため、下部ユニット５６（具体的には、室内熱交換器２１の頂部）天井面Ｕとの干渉が回避されて、さらに、室内ユニット２を角度θ2まで傾斜させることが可能となる。これにより、下部ユニット５６を据付板５３を介して空調室内の壁面Ｗに取り付けた後に、空調室外に設置された室外ユニット３と配管接続を行うための作業スペースＳを確保する作業の作業性を向上させることができるようになっている。
【００５５】
また、第１被支持部７１ｃから第２被支持部７１ｄへの移動は、第１被支持部７１ｃと第２被支持部７１ｄとを滑らかに接続するスライド部７１ｅを介して行われるため、下部ユニット５６の回転の支点を第１被支持部７１ｃから第２被支持部７１ｄへ移動させる動作をスムーズに行うことができるようになっている。
さらに、第２被支持部７１ｄは、第１被支持部７１ｃよりも反壁面側に配置されているため、下部ユニット５６を反壁面側に傾斜させた際に、下部ユニット５６の自重が第１被支持部７１ｃを下方に移動させる力として作用し、下部ユニット５６の回転の支点を第１被支持部７１ｃから第２被支持部７１ｄへ移動させる動作をスムーズに行うことができるようになっている。
【００５６】
しかも、下部ユニット５６の回転の支点を第１被支持部７１ｃから第２被支持部７１ｄへの移動させる際のトリガーとして、被支持部７１ｂの第１凸部７１ｆと支持部６２ｂの第１当接面６２ｆとによって構成される第１スライド補助機構７２が設けられているため、下部ユニット５６を角度θ1まで傾斜させた際に、第１被支持部７１ｃが支持部６２ｂに支持された状態を解除して、下部ユニット５６の回転の支点を第１被支持部７１ｃから第２被支持部７１ｄへ移動させる動作をスムーズに行うことができるようになっている。
【００５７】
（Ｂ）
本実施形態の室内ユニットの壁面取付構造では、作業スペースＳを確保して室外ユニット３との配管接続作業を行った後の状態（第２被支持部７１ｄが支持部６２ｂに支持され、下部ユニット５６が角度θ2まで傾けられた状態）から下部ユニット５６を壁面Ｗに対して傾斜しない状態まで戻す際に、第２被支持部７１ｄが支持部６２ｂに支持された状態から第１被支持部７１ｃが支持部６２ｂに支持された状態に戻す作業を行うことになるが、この作業についても、スムーズに行うための工夫がなされている。
【００５８】
具体的には、下部ユニット５６の回転の支点を第２被支持部７１ｄから第１被支持部７１ｃへ移動させる際のトリガーとして、被支持部７１ｂの第２凸部７１ｇと支持部６２ｂの第２当接面６２ｇとによって構成される第２スライド補助機構７３が設けられているため、第２被支持部７１ｄが支持部６２ｂに支持された状態から壁面Ｗに対する傾斜角度を小さくしようとした際に、第２被支持部７１ｄが支持部６２ｂに支持された状態を解除して、下部ユニット５６の回転の支点を第２被支持部７１ｄから第１被支持部７１ｃへ移動させる動作をスムーズに行うことができるようになっている。
【００５９】
（Ｃ）
本実施形態の室内ユニットの壁面取付構造では、被支持部７１ｂの支持部６２ｂに当接する部分（具体的には、第１被支持部７１ｃ、第２被支持部７１ｄ及びスライド部７１ｅ）には、被支持部７１ｂの一部を側方に折り返すことによって、曲面が形成されており、上述のような被支持部７１ｂと支持部６２ｂとの間における回転の支点の移動をスムーズに行うことができるようになっている。支持部６２ｂの被支持部７１ｂに当接する上端部には、被支持部７１ｂと同様に、支持部６２ｂの一部を前面側に折り返すことによって、その上面に曲面を有する折り返し支持部６２ｅが形成されているため、上述のような被支持部７１ｂと支持部６２ｂとの間における回転の支点の移動をスムーズに行うことができるようになっている。また、被支持部７１ｂ及び支持部６２ｂに形成された曲面によって、被支持部７１ｂ及び支持部６２ｂが互いに当接する部分の摩耗を防止することもできる。
【００６０】
（７）他の実施形態
以上、本発明の実施形態について図面に基づいて説明したが、具体的な構成は、これらの実施形態に限られるものではなく、発明の要旨を逸脱しない範囲で変更可能である。
（Ａ）
前記実施形態における据付板の取付部は、天井面Ｕから見た形状が「コ」の字形状を有しているが、この形状に限定されず、例えば、側面視がＬ字形状を有する取付部のように、側面視室内ユニットの被支持部を掛止可能な形状であればどのような形状でもよい。
【００６１】
（Ｂ）
前記実施形態の据付板は、室内ユニットの後面側の部分を構成する部材であるが、これに限定されず、室内ユニットの後面側の部分を構成する部材と据付板とが別部材であってもよい。
（Ｃ）
前記実施形態の室内ユニットのケーシング構造は、主として、上部ケーシングと下部ケーシングとからなる上下に分割された構造であるが、これに限定されず、例えば、ケーシングが前後に分割された構造のように、前記実施形態とは異なる分割構造でもよい。
【産業上の利用可能性】
【００６２】
本発明を利用すれば、空気調和装置の室内ユニットを据付板を介して空調室内の壁面に取り付けた後に、空調室外に設置された室外ユニットと配管接続を行うためのスペースを確保する作業の作業性を向上させることができる。
【図面の簡単な説明】
【００６３】
【図１】本発明にかかる室内ユニットの壁面取付構造の一実施形態が採用された空気調和装置の外観を示す図である。
【図２】空気調和装置の概略冷媒回路を示す図である。
【図３】室内ユニットが壁面に取り付けられた状態を示す側面図である。
【図４】下部ユニット及び据付板を示す斜視図である。
【図５】図４に示される取付部付近を拡大して示した図である。
【図６】図３の被支持部及び取付部付近を拡大して示した側面断面図である。
【図７】下部ユニットが壁面に取り付けられた状態を示す側面図である。
【図８】下部ユニットが第１被支持部を回転の支点として前面側に傾けられた状態を示す側面図である。
【図９】図８の被支持部及び取付部付近を拡大して示した側面断面図である。
【図１０】下部ユニットの支点が第１被支持部から第２被支持部に移動した状態及び下部ユニットの回転の支点を第２被支持部から第１被支持部に戻す直前の状態を示す側面図である。
【図１１】図１０の被支持部及び取付部付近を拡大して示した側面断面図である。
【図１２】下部ユニットが第２被支持部を回転の支点として前面側に傾けられた状態を示す側面図である。
【図１３】図１２の被支持部及び取付部付近を拡大して示した側面断面図である。
【図１４】下部ユニットが第２被支持部を回転の支点として最大角度まで傾けられた状態を示す側面図である。
【符号の説明】
【００６４】
５３  据付板
６２ｂ  支持部
７１ｃ  第１被支持部
７１ｄ  第２被支持部
７１ｅ  スライド部
７２  第１スライド補助機構
７３  第２スライド補助機構
Ｗ  壁面
θ1  角度
【図１】
2005077073.tif 000003
【図２】
2005077073.tif 000004
【図３】
2005077073.tif 000005
【図４】
2005077073.tif 000006
【図５】
2005077073.tif 000007
【図６】
2005077073.tif 000008
【図７】
2005077073.tif 000009
【図８】
2005077073.tif 000010
【図９】
2005077073.tif 000011
【図１０】
2005077073.tif 000012
【図１１】
2005077073.tif 000013
【図１２】
2005077073.tif 000014
【図１３】
2005077073.tif 000015
【図１４】
2005077073.tif 000016